(57)【要約】  本発明は、複数のフィン（２５）を備える、調理用容器のための支持台（５）に関する。フィン（２５）は、コンロ（１）のバーナー（３）上に位置する空間部（２７）を少なくとも部分的に画定するように配設されている。複数のフィン（２５）のうちの隣り合う２つのフィン（２５）の間には、間隙（３７）が画定されている。調理用容器のための支持台（５）は、各フィン（２５）の外表面が凹形状であり、各フィン（２５）の外表面（２９）の凹部が、空間部（２７）とは反対に向けられていることを特徴とする。
2016503873.tif 000002
【特許請求の範囲】
【請求項１】
調理用容器のための支持台（５）であって、
前記支持台（５）は、複数のフィン（２５）を備え、
前記フィン（２５）は、コンロ（１）のバーナー（３）に対向するように配置される空間部（２７）を少なくとも部分的に画定するように配設され、
上記複数のフィン（２５）のうちの隣り合う２つのフィン（２５）の間には、間隙（３７）が画定されており、
各フィン（２５）の外表面（２９）は凹形状であり、
各フィン（２５）の上記外表面（２９）の凹部が、上記空間部（２７）とは反対の方向に向いている
ことを特徴する支持台（５）。
【請求項２】
請求項１において、
各フィン  （２５）は内表面（３１）を有し，
上記内表面（３１）は凸形状であり、
上記内表面（３１）の凸部が、上記空間部（２７）の方向に向いている
ことを特徴とする支持台（５）。
【請求項３】
請求項１または２において、
上記複数のフィン（２５）は、上記空間部（２７）の周囲の閉輪郭に沿って配設されている
ことを特徴とする支持台（５）。
【請求項４】
請求項１〜３のいずれか１項に記載の支持台（５）であって、調理用容器を受容するためのリング（１７）をさらに備える支持台（５）。
【請求項５】
請求項４において、
上記リング（１７）は各フィン（２５）の上端に固定されており、
上記フィン（２５）の上端は、上記バーナー（３）の炎が延びる方向に従って画定された端部と一致する
ことを特徴とする支持台（５）。
【請求項６】
請求項５において、
上記リング（１７）が、上記フィン（２５）とは反対側に、支持上面を有すること
を特徴とする支持台（５）。
【請求項７】
請求項６において、
上記支持上面が、上記リング（１７）の内方向きの突出部（２１）を少なくとも１つ備える
ことを特徴とする支持台（５）。
【請求項８】
請求項６または７において、
上記支持上面が、上記リング（１７）の外方向きの突出部（２２）を少なくとも１つ備える
ことを特徴とする支持台（５）。
【請求項９】
請求項１〜８のいずれか１項において、
上記支持台（５）は、コンロ（１）への固定手段を含む基部（１５）をさらに備え、
上記基部（１５）は、各フィン（２５）の下端に固定されており、
上記下端は、上記フィン（２５）の上端の反対側に位置する
ことを特徴とする支持台（５）。
【請求項１０】
請求項１〜９のいずれか１項に記載の支持台（５）を備えるコンロ（１）であって、
上記コンロ（１）は、上記支持台（５）を受容するための手段を備え、
上記支持台（５）を受容するための手段は、上記支持台（５）が上記空間部（２７）を取り囲み、上記支持台（５）に載せられた容器が上記バーナー（３）の炎に対向するように配置されている
ことを特徴とするコンロ（１）。
【発明の詳細な説明】
【技術分野】
【０００１】
本発明は、調理用容器のための支持台（五徳）ならびにこの支持台を備えるコンロに関する。
【背景技術】
【０００２】
支持台は、調理用容器をコンロのバーナーから一定の距離に保持するためのものである。バーナーは、熱損失を制限すべく、調理容器に十分に近接していなければならない。
【０００３】
バーナーの出口での燃焼によって生成される燃焼ガスは、排出されなければならない。そのため、支持台は間隙を有し、これによって、バーナーのヘッドと調理用容器との間、またはバーナーのヘッドと空間領域の間の領域から燃焼ガス流が排出される。
【０００４】
上記の仕組みは、燃焼ガスが空間領域において滞留せず、外部に向けて排出される点では、満足できるものである。間隙が大きく、燃焼ガスを良好に流通させると、燃焼ガスはいっそう効果的に排出される。
【発明の概要】
【発明が解決しようとする課題】
【０００５】
しかしながら、コンロの炎は、間隙を通って空間領域に侵入してくる空気流の影響を受けやすい。コンロの炎は、吹き込みによって、特に、野外でコンロを使用する際には風によって消えることがある。
【０００６】
大きな間隙は、燃焼ガスの排出には有利であるが、風に対する抵抗としてはほとんど役立たない。
【０００７】
本発明は、上記の問題のすべてまたは一部を解決することを目的とする。
【課題を解決するための手段】
【０００８】
この目的のために、本発明は以下のような、調理用容器のための支持台に関する。この支持台は、複数のフィンを備え、前記フィンは、コンロのバーナーに対向するように配置される空間部を少なくとも部分的に画定するように配設され、上記複数のフィンのうちの隣り合う２つのフィンの間には間隙が画定されており、各フィンの外表面は凹形状であり、各フィンの上記外表面の凹部が、上記空間部とは反対の方向に向いている。
【０００９】
好ましくは、上記フィンは、上記空間部の外に配設されている。
【００１０】
特に、上記フィンは、炎の延びる方向の横断平面を考慮して、上記空間部に対して側方に配設されている。
【００１１】
本発明の他の局面によると、上記バーナーのヘッドの孔は、空間部に向けられている。
【００１２】
上記フィンは、保護障壁をつくることによって、バーナーの炎を風の吹き込みのリスクから保護することを目的としている。上記凹形状は、追加的な利点をもたらす。すなわち、バーナーに向かって流れ且つフィンの外面に当たる風の流れは逸らされて、上記凹部の両側における、側方への２つの流れとなる。
【００１３】
この逸らされた風の流れは、また、吸気現象を引き起こす。この現象により、空間部から間隙を通っての燃焼ガスの排出が期待できる。
【００１４】
本発明の一局面によれば、各フィンは内表面を有し、上記内表面は凸形状であり、上記内表面の凸部が、上記空間部の方向に向いている。
【００１５】
上記フィンの凸形状表面は、上記間隙を通じての空間部の外への燃焼ガスの排出を改善することを目的としたものである。実際、空間部を出てフィンに当たる燃焼ガス流は、上記凸形状により間隙に向けて誘導される。ガス流の流れはフィンにより止められることはなく、それどころか、間隙の方向に向けて逸らされる。
【００１６】
本発明の一局面によると、上記複数のフィンは上記空間部の周囲の閉輪郭に沿って配設されている。
【００１７】
本発明の一局面によると、上記複数のフィンは同一のものである。
【００１８】
本発明の一局面によると、隣り合う２つのフィンを隔てる距離は同じである。
【００１９】
本発明の一局面によると、上記調理用容器のための支持台は、調理用容器を受容するためのリングをさらに備える。
【００２０】
本発明の一局面によると、上記リングが各フィンの上端に固定されている。上記フィンの上記上端は、上記バーナーの炎が延びる方向に従って画定された端部に一致する。
【００２１】
本発明の一局面によると、上記リングが、上記フィンとは反対側に、支持上面を有する。
【００２２】
本発明の一局面によると、上記支持上面は、上記リングの内方向きの突出部を少なくとも１つ備える。
【００２３】
本発明の一局面によると、上記支持上面は、上記リングの外方向きの突出部を少なくとも１つ備える。
【００２４】
本発明の一局面によると、上記調理用容器のための支持台は、コンロへの固定手段を含む基部をさらに備える。上記基部は、各フィンの下端に固定されており、上記下端は、上記フィンの上端の反対側に位置する。
【００２５】
本発明の一局面に係るコンロは、上述のような支持台を備える。このコンロは、上記支持台を受容するための手段を備える。上記支持台を受容するための手段は、上記支持台が上記空間部を取り囲み、且つ、上記支持台に載せられた容器が上記バーナーの炎に対向するように配置されている。
【００２６】
いずれの場合も、添付の概略図を参照しての以下の説明により、本発明がよく理解されるであろう。添付の概略図には、本発明に係る調理用容器のための支持台の一実施形態が、非限定的な例として示される。
【図面の簡単な説明】
【００２７】
【図１】図１は、調理用容器のための支持台を備えるコンロの斜視図である。
【図２】図２は、調理用容器のための支持台の概略上面図である。
【図３】図３は、２つのフィンの概略上面図である。
【発明を実施するための形態】
【００２８】
図１に示すように、コンロ１は、バーナー３と、調理用容器のための支持台５とを備える。バーナー３は、複数の孔９を有するヘッド７を備える。中央開口１３を有するカップ１１が、バーナー３のヘッド７を取り囲んでいる。
【００２９】
支持台５は、コンロ１への固定手段を有する基部１５を備える。一実施形態によると、図１に示すように、基部１５は上記カップ１１に固定されるか当接され、支持台５の下部を画定している。
【００３０】
支持台５は、支持台５の上部を画定するリング１７を備える。図１に示す一実施形態によると、リング１７は基準軸１９に沿って、基部１５に対向する位置にある。リング１７は、調理用容器を受容するためのものである。リング１７は、支持台５に載せられた容器を安定させるための、リング１７の中心２３に向いた突出部２１を有する。同様に、リング１７は、支持台５に載せられた容器を安定させるための、外向きの突出部２２を有する。
【００３１】
支持台５は、基準軸１９の周りに円状に配設された、複数のフィン２５を備える。各フィン２５の上端は上記リング１７に固定され、各フィン２５の下端は基部１５に固定されている。支持台５は、空間部２７を有する。この空間部２７は、上記複数のフィン２５によって、支持台５の内部において画定された空間と定義される。
【００３２】
空間部２７は、バーナー３のヘッド７に対向するよう画定されている。空間部２７は、バーナーのヘッド７から出るガスが、基準軸１９に沿って流れる領域である。すなわち、図１に示すように、複数のフィン２５は、空間部２７を少なくとも部分的に取り囲むが、空間部２７を構成するものではない。
【００３３】
空間部２７は、基準軸１９に沿って、バーナー３のヘッド７側の底部と、リング１７側の上部とに画定されている。バーナー３のヘッド７およびリング１７は、空間部２７には含まれない。すなわち、例えばリング１７のうちの突出部２１を有する部分は、バーナー３と空間部２７に対向するように位置し得る。
【００３４】
各フィン２５は、凹形状の外表面２９と凸形状の内表面３１とを有する。１つのフィン２５の内表面３１と外表面２９は平行である。
【００３５】
一実施形態によると、各フィン２５は、基準軸１９によって画定され且つフィン２５における基準軸１９に最も近い一点３５を通る面３３について対称である。
【００３６】
隣り合う２つのフィン２５は、間隙３７により隔てられている。間隙３７により、空間部２７と外部とが流体連通する。
【００３７】
作動時には、バーナー３のヘッド７の出口におけるガス／空気の混合気体が孔９の近傍で着火することにより炎が生じ、炎は空間部２７内に延びる。
【００３８】
この燃焼により燃焼ガスが発生し、燃焼ガスの少なくとも一部は、空間部２７からフィン２５の間の間隙３７を通って、外部に排出される。
【００３９】
典型的には、図３に示すように、燃焼ガスは空間部２７の中心部から周縁部に向かって流れる。１つのフィン２５の正面に向かう燃焼ガス流３９は、内表面３１の凸部によって側方への２つの燃焼ガス流４１に分割される。
【００４０】
側方への燃焼ガス流４１は、内表面３１によって、フィン２５の間の間隙３７に向けて誘導される。このように、複数のフィン２５によって、燃焼ガスが間隙３７へ向けて送られる。
【００４１】
フィン２５の凹形状の外表面２９は、外部からの風に対する保護機能を有する。図３に示すように、フィン２５に正面から当たる入射風の流れ４３は、外表面２９の凹部によって、２つの側方への風の流れ４５に分割される。
【００４２】
側方への風の流れ４５は、外表面２９により誘導されて、間隙３７に隣接するフィン２５の端部の近傍において支持台５の外へと向けられる。
【００４３】
間隙３７において支持台５の外へと向けられた側方への風の流れ４５は、空間部２７からの燃焼ガスの排出に好都合な吸気現象を引き起こす。
【００４４】
このように、フィン２５の形状は、燃焼ガスの良好な排出を促進すると同時に、空間部２７への風の侵入による吹き込みの危険からコンロの炎を保護する。
【００４５】
本発明が、例示として上述した本装置の実施態様にのみ限定されるものではなく、反対に、すべての変形例を包含することは言うまでもない。
【図１】
2016503873.tif 000003
【図２】
2016503873.tif 000004
【図３】
2016503873.tif 000005
【国際調査報告】
2016503873.tif 000006
2016503873.tif 000007
2016503873.tif 000008
2016503873.tif 000009
2016503873.tif 000010
2016503873.tif 000011